(57)【要約】      （修正有）【課題】箸入れ等の小容器を包み込むことができるタオル布地から成り、エプロンとしても使用できる幼児用タオルを提供する。【解決手段】タオル地１の一辺端を折り返して空間部２を設け、前記空間部２に紐その他の伸縮部材３を通し、当該伸縮部材を円環状に形成して幼児用タオルとした。また、伸縮部材３を通したタオル地１の一辺端の中央部に、ボタンその他の係止部材を取り付け、係止部材に前記伸縮部材を係り留めすることにより、小容器を包み込むことができると共に、伸縮部材を首に掛けてエプロンとすることもできる。【選択図】図１
0003178136.tif 000002
【実用新案登録請求の範囲】
【請求項１】
タオル地の一辺端を折り返して空間部を設け、前記空間部に紐その他の伸縮部材を通し、当該伸縮部材を円環状にして設けてなる幼児用タオル。
【請求項２】
伸縮部材を通したタオル地の一辺端の中央部に、ボタンその他の係止部材を取り付けたことを特徴とする請求項１記載の幼児用タオル。
【請求項３】
タオル地を正方形又は矩形としたことを特徴とする請求項１又は２記載の幼児用タオル。
【考案の詳細な説明】
【技術分野】
【０００１】
本考案は、タオル地の一辺端を折り返して空間部を設け、前記空間部に紐その他の伸縮部材を通し、当該伸縮部材を円環状にして設けてなり、かかる伸縮部材によりタオル地を丸めて括ることができると共に円環状の伸縮部材を首にかけることによってエプロンとしても使用することができるものである。
【０００２】
また、伸縮部材を通したタオル地の一辺端の中央部に、ボタンその他の係止部材を取り付け、係止部材に前記伸縮部材を係り留めすることにより、小容量に纏めることができ、また、弁当箱、箸入れその他の小容器を包み込み、伸縮部材を係止部材に係り留めることによって持ち運びし易くするものである。
【背景技術】
【０００３】
従来、タオルとエプロンとを併用できる構造の布地はなかった。また、幼稚園、保育所などに通う幼児は、お弁当と共にお箸、フォーク、スプーン等の用具、タオル等を持参することとなっている。また、食事の時には、衣服を汚さないようにエプロンをつけることが通常である。
【０００４】
この場合に、お弁当、お箸入れ等を包む布地、及びエプロンとしてもをそれぞれ持参する必要が有るが、併用できれば、忘れ物も少なくなり、しかも、保護者にとっても洗濯の量が減るなどの利便性がある。
【０００５】
そこで、お箸入れ等の小容器を包むタオル地のタオルを、エプロンとしても併用できるように考案されたものが本考案である。
【先行技術文献】
【特許文献】
【０００６】
【特許文献１】実用新案登録第３１３７５２６号公報
【０００７】
この考案は、「タオルハンカチ」についての構造が示されており、ペットボトルを容易に包み込むことができるものであるが、環状のゴム紐を一端部に設けたものであり、エプロンとして使用することができないものである。
【考案の概要】
【考案が解決しようとする課題】
【０００８】
従来、箸入れ等の小容器を包み込むことができるタオルハンカチはあったものの、タオルハンカチとして使用できると共にエプロンとしての機能を有するものはなかった。
【０００９】
また、幼稚園、保育所に通う幼児が持参する必要のある持ち物は、できうる限り少なくすることが好ましく、また、保護者にとっても、毎日の洗濯等の事情を考慮すると、併用できるようにすることが望まれている。
【００１０】
本考案は、上記のような要望を叶えるため、タオル地の一辺端を折り返して空間部を設け、前記空間部に紐その他の伸縮部材を通し、当該伸縮部材を円環状にして設けてなり、幼児の頭から被り、エプロンとしても使用できるようにしたものである。
【００１１】
また、伸縮部材を通したタオル地の一辺端の中央部に、ボタンその他の係止部材を取り付け、係止部材に前記伸縮部材を係り留めすることにより、お箸入れ等の小容器を包み込みこむことができる。
【課題を解決するための手段】
【００１２】
本考案は、タオル地の一辺に紐その他の伸縮部材を取り付け、当該伸縮部材を円環状にして設けてなる幼児用タオルとした。
【００１３】
図１において、１はタオル地である。タオル地の形状は、正方形又は矩形を基本とするが、これに限らず、小容器を包み込むことができ、また、エプロンとして幼児等が使用して衣服の汚れを遮る形状であればよい。
【００１４】
２は空間部で、タオル地の一辺端を折り返して空間部を設けてなる。３は伸縮部材であり、空間部２を通りして、円環状とする。伸縮部材３は、紐、ゴム紐、など伸び縮みするものであればよい。伸縮の強さは無関係であり、エプロンとして首に掛けたときに、頭から被ることができ、首周りに添うものであればよい。
【００１５】
図２において、４は係止部材であり、ボタン、留め具、その他、伸縮部材３を係り留めできるものであればよい。
タオル地１を丸めて小さく折り畳む時に、伸縮部材３を布地１の周りに巻きつけ、係止部材４に係り留めることで纏まり良く締めることができる。
５は小容器であり、箸、スプーン、フォークを纏めた容器などである。
【００１６】
また、タオル地１で、箸入れを包み込む場合にも、箸入れをタオル地１で包み、伸縮部材３をタオル地１の周りに巻きつけて留めることができる。また、係止部材４に伸縮部材３を引っ掛けることで纏まり良く締めることができる。幼児にとっては、伸縮部材を引き伸ばして包み込む容器全体に巻き付けることが難しい場合があるが、伸縮部材を係止部材に係り留めすることは比較的容易におこなえる。
【考案の効果】
【００１７】
本考案に係る幼児用タオルは、箸入れ容器等を包み込むことができると共に円環状の伸縮部材を首に掛けてエプロンとして使用することができるものである。また、弁当箱を包み込むことができる。
【図面の簡単な説明】
【００１８】
【図１】本考案の実施例
【図２】本考案の他実施例の正面図
【図３】本考案の他実施例の背面図
【図４】本考案の他実施例において、小容器を包み込む状態を示す図
【図５】本考案の他実施例において、小容器を包み込んだ状態を示す図
【図６】本考案をエプロンとして使用した状態を示す図
【考案を実施するための最良の形態】
【００１９】
本考案の実施例を示す。
【実施例１】
【００２０】
本考案の幼児用タオルの使用状態は、伸縮部材３を首に掛け、タオル地がタオル及びエプロンとしての役割を果たす。
また、図３において、本考案の幼児用タオルを裏返して広げ、中央に箸入れ、弁当箱、等の小容器５を載せる。
【００２１】
次に、図４に示すように、左右のタオル地を折り返して包み込み、上下のタオル地を折り返して更に包み込む。
図５に示したように、最後に、伸縮部材３を係止部材４に係り留めることで、包み込みが完了する。
【００２２】
図６に示すように、伸縮部材３を幼児の首に掛けることで、エプロンとして使用することができるようになっている。
【産業上の利用可能性】
【００２３】
本考案は、エプロンとして使用できると共に、箸入れ等の小容器を包み込むことができるタオル地を併用するものであり、幼児等の利便に資するものである。
【符号の説明】
【００２４】
１    タオル地
２    空間部
３    伸縮部材
４    係止部材
５    小容器
【図１】
0003178136.tif 000003
【図２】
0003178136.tif 000004
【図３】
0003178136.tif 000005
【図４】
0003178136.tif 000006
【図５】
0003178136.tif 000007
【図６】
0003178136.tif 000008